(57)【要約】【課題】便座への着座を高精度に検知することが可能な、電波による人体検知方式の着座検知装置を提供する。【解決手段】タンクカバー２の前部かつ倒伏状態の便座３よりも高位に発信器６が設置されている。倒伏した便座３に人が着座していないと、発信器６からの電波が直接的に便座３のヒータ５で受信され、受信信号強度が高くなる。便座３に人が着座すると、発信器６からの電波が遮られ、ヒータ５による受信信号強度が低下する。便座３を起立させると、発信器６からの電波が直接的には入射せず、ヒータ５による受信信号強度が低下する。【選択図】図２
2012037331.tif 000002
【特許請求の範囲】
【請求項１】
人体の便座への着座を検知する着座検知装置において、
着座者検知用電波信号を送信する送信部と、
該着座者検知用電波信号を受信する受信部と、
該受信部の受信信号強度の低下に基づいて着座の判定を行う判定手段と
を有する着座検知装置であって、
該送信部及び該受信部が、着座した人体を挟む位置に設けられており、
該送信部及び該受信部の少なくとも一方が倒伏状態の便座の上面よりも高位に設けられていることを特徴とする着座検知装置。
【請求項２】
請求項１において、便器の前方に存在する人体を検知する人体検知センサを有しており、
前記送信部及び前記受信部の少なくとも一方は、該人体検知センサが人体を検知すると作動することを特徴とする着座検知装置。
【請求項３】
請求項１又は２において、便座支持部材と、該便座支持部材に支持された便座とを有しており、
前記送信部は、該便座支持部材のうち倒伏状態の該便座の上面よりも高位に設けられており、
前記受信部は、該便座の少なくとも前部に設けられていることを特徴とする着座検知装置。
【請求項４】
請求項１ないし３のいずれか１項において、
便座の起立又は倒伏を検知する便座状態検知手段と、
該便座状態検知手段の検知結果と前記受信部の受信信号強度の低下とに基いて着座の判定を行う判定手段と
を備えたことを特徴とする着座検知装置。
【請求項５】
請求項１又は２において、便座支持部材と、該便座支持部材内に配置された機器と、該機器を遠隔操作するためのリモコンとを有しており、
前記送信部及び前記受信部のうち、一方が該便座支持部材に設けられており、他方が該リモコンに設けられていることを特徴とする着座検知装置。
【請求項６】
請求項５において、前記便座支持部材は、便器の前方に存在する人体を検知する人体検知センサと、該人体検知センサの人体検知に基づいて前記リモコンに起動信号を送信する起動信号送信手段とを有しており、
該リモコンは、該起動信号を受信するとウェイクアップモードに移行することを特徴とする着座検知装置。
【請求項７】
請求項５又は６において、前記着座者検知用電波信号は、前記リモコンの機器操作信号とは異なることを特徴とする着座検知装置。
【請求項８】
請求項１又は２において、便座支持部材と、該便座支持部材内に配置された機器と、該機器を遠隔操作するためのリモコンとを有しており、
前記送信部が、該便座支持部材及び該リモコンから離隔した場所に設けられており、
前記受信部が、該便座支持部材に設けられていることを特徴とする着座検知装置。
【発明の詳細な説明】
【技術分野】
【０００１】
本発明は、便座着座者を検知する着座装置に係り、特に電波によって便座着座者を検知する着座装置に関する。
【背景技術】
【０００２】
電波を利用したトイレ用の人体検知装置としては、送信波と受信波の周波数の差を検出して動きを検知するドップラー式のものが提案されている。ドップラー式人体検知装置は、送信波の周波数と受信波の周波数の差分により動きを検出すると共に、その差分信号の振幅の大小で距離の概略を判断できるように構成している。また、便器装置内に組み込むことによって生じる内部反射等の定在波の影響を打ち消すため、低周波成分をカットする構成としている。しかしながら、このドップラー式人体検知装置は、停止状態の人体の検知が難しい。
【０００３】
特開２００２−７１８２４号には、マイクロ波センサのドップラ効果と反射の大きさによって人体を検知することが記載されているが、反射強度だけでは着座の検知精度は低い。
【先行技術文献】
【特許文献】
【０００４】
【特許文献１】特開２００２−７１８２４
【発明の概要】
【発明が解決しようとする課題】
【０００５】
本発明は、便座への着座を高精度に検知することが可能な、電波による人体検知方式の着座検知装置を提供することを目的とする。
【課題を解決するための手段】
【０００６】
本発明（請求項１）の着座装置は、人体の便座への着座を検知する着座検知装置において、着座者検知用電波信号を送信する送信部と、該着座者検知用電波信号を受信する受信部と、該受信部の受信信号強度の低下に基づいて着座の判定を行う判定手段とを有する着座検知装置であって、該送信部及び該受信部が、着座した人体を挟む位置に設けられており、該送信部及び該受信部の少なくとも一方が倒伏状態の便座の上面よりも高位に設けられていることを特徴とするものである。
【０００７】
請求項２の着座検知装置は、請求項１において、便器の前方に存在する人体を検知する人体検知センサを有しており、前記送信部及び前記受信部の少なくとも一方は、該人体検知センサが人体を検知すると作動することを特徴とするものである。
【０００８】
請求項３の着座検知装置は、請求項１又は２において、便座支持部材と、該便座支持部材に支持された便座とを有しており、前記送信部は、該便座支持部材のうち倒伏状態の該便座の上面よりも高位に設けられており、前記受信部は、該便座の少なくとも前部に設けられていることを特徴とするものである。
【０００９】
請求項４の着座検知装置は、請求項１ないし３のいずれか１項において、便座の起立又は倒伏を検知する便座状態検知手段と、該便座状態検知手段の検知結果と前記受信部の受信信号強度の低下とに基いて着座の判定を行う判定手段とを備えたことを特徴とするものである。
【００１０】
請求項５の着座検知装置は、請求項１又は２において、便座支持部材と、該便座支持部材内に配置された機器と、該機器を遠隔操作するためのリモコンとを有しており、前記送信部及び前記受信部のうち、一方が該便座支持部材に設けられており、他方が該リモコンに設けられていることを特徴とするものである。
【００１１】
請求項６の着座検知装置は、請求項５において、前記便座支持部材は、便器の前方に存在する人体を検知する人体検知センサと、該人体検知センサの人体検知に基づいて前記リモコンに起動信号を送信する起動信号送信手段とを有しており、該リモコンは、該起動信号を受信するとウェイクアップモードに移行することを特徴とするものである。
【００１２】
請求項７の着座検知装置は、請求項５又は６において、前記着座者検知用電波信号は、前記リモコンの機器操作信号とは異なることを特徴とするものである。
【００１３】
請求項８の着座検知装置は、請求項１又は２において、便座支持部材と、該便座支持部材内に配置された機器と、該機器を遠隔操作するためのリモコンとを有しており、前記送信部が、該便座支持部材及び該リモコンから離隔した場所に設けられており、前記受信部が、該便座支持部材に設けられていることを特徴とするものである。
【発明の効果】
【００１４】
本発明（請求項１）の着座検知装置では、送信部及び受信部が、着座した人体を挟む位置に設けられているため、着座した人体を確実に検知することができる。また、これら送信部及び該受信部の少なくとも一方が倒伏状態の便座の上面よりも高位に設けられているため、着座した人体のより上半身側を検知することが可能となり、着座者が座り直す際に若干腰を浮かしたりした場合にあっても、着座者を検知することができる。さらに、電波を用いて着座者を検知しているため、陶器製、樹脂製等の便器、便座、便座ボックス等による電波の遮断による減衰が少ない。このため、送信部及び受信部の設置位置が限定されない。また、赤外線を用いる場合には送信部及び受信部の設置箇所に赤外線の透過窓等を設ける必要があるのに対し、本発明では電波を用いるため、送信部及び受信部の設置箇所に窓等を設ける必要がない。
【００１５】
上記送信部及び受信部とは別に、便器の前方に存在する人体を検知する人体検知センサを有し、送信部及び受信部の少なくとも一方は、該人体検知センサが人体を検知すると作動するようにしてもよい（請求項２）。これにより、送信部及び受信部の少なくとも一方の消費電力を節約することができる。なお、送信部及び受信部の一方のみを人体検知時にのみ作動させる場合には、他方は人体の検知の有無にかかわらず、常時作動させておく。
【００１６】
本発明において、便座支持部材と、該便座支持部材に支持された便座とを有しており、前記送信部は、該便座支持部材のうち倒伏状態の該便座の上面よりも高位に設けられており、前記受信部は、該便座の少なくとも前部に設けられていてもよい（請求項３）。倒伏状態の便座に人が座っていないと、送信部からの電波が人体で遮られることなく受信部によって受信されるので、受信部の受信信号強度が高い。この倒伏状態の便座に人が着座すると、送信部から便座前部に向った電波が人体で遮られるので、受信部の受信信号強度が低下する。これにより、便座への着座が検知される。
【００１７】
この場合、送信部は、起立状態の便座の中間部よりも下位に設けられていてもよい。この場合、送信部からの電波は起立状態の便座前部の受信部に対し直接的には全く又は殆ど入射しない。洋風便器の直近に男子小便使用者が立った場合、電波がこの使用者で反射されて受信部に受信される。この受信信号の強度は、前記倒伏状態の便座の非着座時の受信信号強度に比べて低いので、男子小便使用者であると判別することができる。
【００１８】
なお、倒伏状態の便座に人体が着座した場合、及び起立状態の便座の受信部に反射電波が受信された場合のいずれも、受信信号強度は便座倒伏かつ非着座時の受信信号強度よりも低い。この場合、便座の起倒伏態を検知し、この検知結果と受信信号強度とに基いて、着座であるか男子小便使用であるか判定を行うようにすれば、判定精度がさらに高いものとなる（請求項４）。
【００１９】
本発明では、暖房便座のヒータを受信部として利用することにより、制作コストを低減することができる。
【００２０】
送信部及び受信部のうち、一方が便座支持部材に設けられており、他方がリモコンに設けられていてもよい（請求項５）。これにより、これら便座支持部材及びリモコンとは別体に送信部及び受信部を設ける場合と比べて、部品点数が少なくなり、トイレルーム内の意匠性にも優れる。
【００２１】
この場合、便座支持部材は、便器の前方に存在する人体を検知する人体検知センサと、該人体検知センサの人体検知に基づいてリモコンに起動信号を送信する起動信号送信手段とを有しており、該リモコンは、該起動信号を受信するとウェイクアップモードに移行するようにしてもよい（請求項６）。このように、人体検知時にのみリモコンをウェイクアップモードにすることにより、リモコンの消費電力を節約することができる。
【００２２】
この着座者検知用電波信号は、リモコンの機器操作信号とは異なっていてもよい（請求項７）。これにより、着座者の誤検知及び機器の誤操作が回避される。
【００２３】
本発明では、便座支持部材と、該便座支持部材内に配置された機器と、該機器を遠隔操作するためのリモコンとを有しており、送信部が、該便座支持部材及び該リモコンから離隔した場所に設けられており、受信部が、該便座支持部材に設けられていてもよい（請求項８）。これにより、リモコンの設置位置に拘束されることなく、送信部を所望の位置に設置することができ、着座者をより正確に検知することができる。
【図面の簡単な説明】
【００２４】
【図１】第１の実施の形態に係る着座検知装置を備えた洋風便器の斜視図である。
【図２】第１の実施の形態に係る着座検知装置を備えた洋風便器の側面図である。
【図３】第１の実施の形態に係る着座検知装置を備えた洋風便器の側面図である。
【図４】第１の実施の形態に係る着座検知装置の回路ブロック図である。
【図５】第１の実施の形態に係る着座検知装置の受信信号強度を示す説明図である。
【図６】第１の実施の形態に係る着座検知装置の変形例を示す斜視図である。
【図７】第１の実施の形態に係る着座検知装置の異なる変形例を示す斜視図である。
【図８】第２の実施の形態に係る着座検知装置を備えたトイレルーム内の斜視図である。
【図９】第２モードを説明するグラフである。
【図１０】図８の便座ボックス内の回路ブロック図である。
【図１１】図８のリモコン内の回路ブロック図である。
【図１２】第８図の送信部及び受信部からの各信号の送受信のタイミングを説明するグラフである。
【図１３】アンテナαから送信される電波を説明する図面であり、（ａ）は第８図のトイレルームの平面図、（ｂ）はアンテナαから送信される電波の送信角度を説明するグラフである。
【発明を実施するための形態】
【００２５】
［第１の実施の形態］
第１図〜第５図を参照して第１の実施の形態について説明する。なお、本明細書において、「前後」は、便座に座った便器使用者にとっての前後を表わす。
【００２６】
第１図（ａ），（ｂ），（ｃ）の通り、陶器又は合成樹脂製の洋風便器１の上面後部に、便座支持部材としてタンクカバー２が設置されている。このタンクカバー２はポリプロピレン等の電波透過性を有した合成樹脂製である。タンクカバー２内には、便器１の鉢部等に洗浄水を供給するためのロータンクや人体臀部を温水で洗浄するための温水洗浄ノズル、臀部乾燥用の温風ファン等の機器のほか、電波発信器６を有した人体検知システムが設置されている。
【００２７】
このタンクカバー２の下部前縁に便座３及び便蓋４が起倒方向回動可能に取り付けられている。なお、第１図（ａ）では便座３及び便蓋４が倒伏しており、第１図（ｂ）では便蓋４のみが起立し、第１図（ｃ）では便座３及び便蓋４が起立している。
【００２８】
便座３は、内孔３ａを有した本体部３ｂと、該本体部の後縁から後方に延出した１対のヒンジアーム３ｃ，３ｃとを有している。便座３は、各ヒンジアーム３ｃ，３ｃに設けられたヒンジ軸を介してタンクカバー２に枢支されている。この実施の形態では、便蓋４のヒンジ軸は、便座３のヒンジ軸と同軸となっている。便座３は、ゴム足（裏足）やヒータ５を除いてポリプロピレン等の電波透過性の合成樹脂よりなる。便蓋４は、全体がポリプロピレン等の電波透過性の合成樹脂よりなる。
【００２９】
便座３には、暖房用のヒータ５が設けられている。このヒータ５は通電により発熱する線状の発熱体よりなり、便座３の内孔３ａの周囲に引き回されている。この便座３に通電するためのハーネスは、便座３のヒンジ軸を通ってタンクカバー２内に引き込まれている。
【００３０】
タンクカバー２内の最下部よりも所定距離上位部分における、タンクカバー２の前面部に、前方かつ略水平方向に向って好ましくは２．４〜２．５ＧＨｚの電波を発信する送信部としての発信器６が設けられている。第１図（ｂ）の通り、この発信器６は、倒伏状態の便座３の本体部３ｂの上面よりも上位かつ起立状態の便座３の前後方向中間部よりも下位に設置されている。なお、この実施の形態では、第１図（ｃ）の通り、発信器６は起立した便座３の本体部３ｂの後縁よりも下位に、かつ第１図（ａ）の通り、倒伏状態の便蓋４の本体部の上面よりも上位に設けられている。発信器６は、倒伏状態の便座３の本体部３ｂの上面よりも１００〜１５００ｍｍ特に１５０〜３００ｍｍ高位に位置することが好ましい。
【００３１】
第４図の通り、便座ヒータ５は、タンクカバー２内のヒータ通電回路７によって直流１００Ｖが印加されて通電される。
【００３２】
発信器６からの電波又はその反射波を受信することによりヒータ５に流れる高周波電流は、コンデンサＣ１を介して結合トランス８の１次側コイルを流れる。結合トランス８の出力は、コンデンサＣ２を介して増幅回路９に入力され、その出力信号が制御及び人体検知判定を行う信号処理回路１０に入力される。この信号処理回路１０には、便座３の起立又は倒伏状態を検知するための便座状態センサ１１からの信号も入力されている。この便座状態センサ１１としては、便座３の回動位相を検知するロータリエンコーダや、リミットスイッチ、静電容量型センサなど各種のものを用いることができる。
【００３３】
第２図（ａ）のように、倒伏した便座３に人Ｐが着座していない場合、発信器６からの電波ＲＷは、直接的に即ち途中で人Ｐに遮られることなく便座３のヒータ５に入射するので、第５図の「非着座」時の通り、受信信号強度が高いものとなる。
【００３４】
第２図（ｂ）のように、倒伏した便座３に人Ｐが着座すると、発信器６からの電波ＲＷの大部分が人Ｐに遮られるので、ヒータ５の受信信号強度は第５図の「着座」時の通り低いものとなる。これにより、着座と非着座とが検知される。なお、この実施の形態では、便座３の起立倒伏状態がセンサ１１で検知されているので、受信信号強度低下は着座によるものであると正確に判定でき、便座３への着座、非着座を高精度に判別することができる。
【００３５】
第３図（ａ）のように便座３及び便蓋４が起立しており、かつ便器１の前方に人Ｐがいない場合、発信器６からの電波ＲＷは便座３の本体部３ｂの下側を通って前方に放射され、便座３のヒータ５に直接的には全く又は殆ど受信されない。そのため、受信信号強度は低いものとなる。
【００３６】
第３図（ｂ）のように、便座３及び便蓋４が起立している状態で便器１の前方に人Ｐが近接して立つと、発信器６からの電波ＲＷが人Ｐで反射され、反射電波が便座３のヒータ５で受信され、第３図（ａ）の場合よりも受信信号強度が高くなる。ただし、この反射波による受信信号強度は、第２図（ａ）の便座倒伏かつ非着座状態に比べると低い「微高」レベルとなるので、男子小便使用であると判定される。なお、この実施の形態では、便座３の起倒状態がセンサ１１によって検知されているので、この微高レベルの受信信号強度と便座起立とに基づいて、男子小便使用であることを高精度にて判別することができる。
【００３７】
第１図（ａ）のように便座３及び便蓋４が倒伏している状態のトイレルームに人Ｐが入り、リモコンの便座開スイッチ操作等によって便座３を起立させると、第５図の「便座起立回動」の通り、受信信号強度が非着座時のレベルから第５図の最低レベルまで低下する。次いで、人Ｐが男子小便使用すべく便器１の前部に近づくと（即ち、第３図（ｂ）の状態になると）、第５図の「男子小便使用」時の通り、受信信号強度が最低レベルよりも少し高い「微高」レベルとなる。この人Ｐが便器１から遠ざかると、受信信号強度はほぼ最低レベルまで低下する。その後、リモコンの便座閉スイッチ操作等によって便座３を倒伏させると、発信器６からの電波がヒータ５で直接的に受信されるので、第５図の「便座倒伏回動」時のように受信信号強度が再び非着座時のレベルまで高くなる。
【００３８】
このようにして、着座の有無及び男子小便使用が検知可能である。
【００３９】
前述の通り、この実施の形態では、便座状態センサ１１によって便座の起立倒伏状態を検知しているので、受信信号レベルの変化が着座によるものか便座の回動によるものであるか、男子小便使用によるものであるかを正確に区別して判別することができる。例えば、着座状態で少し腰を浮かせたとき及び男子小便使用のいずれでも、受信信号レベルは「微高」レベルとなるが、前者では便座３が倒伏し、後者では便座３は起立しているので、着座状態で腰を少し浮かせたときの受信信号レベル（微高）と、男子小便使用による受信信号レベル（微高）とを正確に区別して便器使用状態を判別することができる。
【００４０】
上記実施の形態では便座支持部材としてタンクカバー２が用いられているが、第６図、第７図に示す便座ボックス１２，１５等であってもよい。各便座ボックス１２，１５に便座１３，１６及び便蓋１４，１７が取り付けられている。第７図の符号１８は便器を示す。各便座ボックス１２，１５の前縁上部に発信器６が設置され、各便座１３，１６に設けられたヒータによって電波を受信する。発信器６は、倒伏状態の便座１３，１６の本体部の上面よりも高位に設置されている。
【００４１】
上記実施の形態では、便座ヒータによって電波受信部を構成しているが、便座ヒータとは別に受信用のアンテナを便座に設けてもよい。この場合、アンテナは、便座の少なくとも前部に設けられる。この場合の前部とは、便座の本体部の前後方向長さの中間よりも前部を表わす。アンテナは、便座の前部にのみ設けられるのが好ましいが、前部及び後部に設けられてもよい。
【００４２】
本発明では、タンクカバー２又は便座ボックス１２，１５等の便座支持部材にドップラー効果による人体検知用の電波受信器を設け、ドップラー効果による人体検知を行うようにしてもよい。
【００４３】
［第２の実施の形態］
第８図〜第１３図を参照して第２の実施の形態について説明する。
【００４４】
第８図の通り、陶器又は合成樹脂製の洋風便器２１の上面後部に、便座支持部材として便座ボックス２２が設置されている。この便座ボックス２２はポリプロピレン等の電波透過性を有した合成樹脂製である。便座ボックス２２の側面には手動式フラッシュハンドル２５が設置されている。また、該便座ボックス２２内には、人体臀部を温水で洗浄するためのシャワーノズル及びビデノズル、臀部乾燥用の温風ファン等の機器が設置されている。
【００４５】
この便座ボックス２２の下部前縁に、合成樹脂製の便座２３及び便蓋２４が起倒方向回動可能に取り付けられている。
【００４６】
この便座ボックス２２内には、第１０図の通り、人体検知信号送受信回路３１、電波通信送受信回路３２、これらの切替回路３３及びアンテナαが設けられており、これらにより受信部３０が構成されている。この便座ボックス２２内には、さらにシャワー駆動回路３６、ビデ駆動回路３７のほか、これら駆動回路３６，３７を制御する制御信号出力回路３５が設けられている。
【００４７】
詳細は後述するが、この人体検知信号送受信回路３１は、トイレルーム内に入室した人体を検知するための回路である。また、この電波通信送受信回路３２は、リモコン４０との通信及び着座者の有無の判定を行うための回路である。さらに、この切替回路３３は、該人体検知信号送受信回路３１が作動する人体検知モードａと、該電波通信送受信回路３２が作動するリモコン通信モードｂとの切替を行うための回路である。
【００４８】
便座ボックス２２内の電気回路は、図示しないコード、プラグを介して商用電源（ＡＣ１００Ｖ）から給電される。この洋風便器２１は、図示しないホース及び止水栓を介して水道水が供給可能とされている。
【００４９】
トイレルームの壁面にリモコン４０が設置されている。このリモコン４０の前面に、シャワースイッチ４１、ビデスイッチ４２、停止スイッチ４３、液晶等の表示部４５が設けられている。リモコン４０には、洋風便器２１に洗浄水を供給するフラッシュスイッチなど、その他の各種スイッチが設けられてもよい。
【００５０】
さらに、このリモコン４０内には、第１１図の通り、アンテナβ、送受信回路５１及び信号処理回路５２よりなる送信部５０が設けられている。
【００５１】
上記便座ボックス２２の受信部３０及びリモコン４０の送信部５０は、電波の送受信が可能とされている。
【００５２】
すなわち、便座ボックス２２の受信部３０は、人体検知信号送受信回路３１が作動しているときには（人体検知モードａ）、人体検知用発信信号Ａを間欠的に送信すると共に、この信号Ａがトイレルーム内の人体に反射してなる人体検知反射信号Ｂを受信可能とされている。この人体検知反射信号Ｂに基づいて、人体のトイレルーム内への入室を検知することができる。また、電波通信送受信回路３２が作動しているときには（リモコン通信モードｂ）、着座検知開始信号Ｃ１及び着座検知停止信号Ｃ２を送信可能であると共に、リモコン４０の送信部５０からの信号（後述するスイッチ操作信号及び着座検知用受信信号Ｅ）を受信可能とされている。なお、この受信部３０の動作例の詳細については、後述する。
【００５３】
また、リモコン４０の送信部５０は、スリープモードとウェイクアップモードとに切替可能とされている。スリープモードにおいては、便座ボックス２２からの信号（上記着座検知開始信号Ｃ１）を受信可能とされている。このスリープモードにおいては、着座検知用発信信号Ｄの送信が停止されている。一方、ウェイクアップモードにおいては、便座ボックス２２に向けて着座検知用発信信号Ｄの送信が間欠的に送信されると共に、便座ボックス２２からの信号（上記着座検知停止信号Ｃ２）を受信可能とされている。さらに該リモコン４０の送信部５０は、スリープモードとウェイクアップモードのいずれにおいても、スイッチ４１〜４３の操作信号を送信可能とされている。なお、スリープモードにおいて上記着座検知開始信号Ｃ１を受信するとウェイクアップモードに移行し、ウェイクアップモードにおいて上記着座検知停止信号Ｃ２を受信するとスリープモードに復帰する。この送信部５０の動作例の詳細についても、後述する。
【００５４】
上記受信部３０のアンテナα及び送信部５０のアンテナβからは、好ましくは２．４〜２．５ＧＨｚの電波を送受信可能とされている。本実施の形態では、このアンテナαとして、第１３図（ａ）、（ｂ）の通り、主ビームとサイドローブとを送信するものを用いる。これにより、１本のアンテナαを用いて、便器２１の前方の人体に向けて信号を送信することができると共に、リモコン４０に向けて信号を送信することができる。但し、主ビームが便器２１の前方からリモコン４０までの広範囲を放射するアンテナαを用いてもよい。なお、アンテナβとしては、アンテナαよりも放射角度の小さい（指向性の高い）ものを用いることができる。これらアンテナα及びアンテナβは、人体が便座２３に着座したときに、これらアンテナα、βが該着座者の上半身を挟むような位置に設置されている。これらアンテナα、βの設置位置は、便座２３の上面よりも高位となっている。
【００５５】
このように構成された着座検知装置の動作例について以下に説明する。
【００５６】
＜トイレルーム内に人体が入室していない場合＞
トイレルーム内に人体が入室していない場合には、以下に説明する通り、便座ボックス２２が人体検知モードａのみを行う第１モードになると共に、リモコン４０がスリープモードとなっている。
【００５７】
この人体検知モードａにおいては、便座ボックス２２内の人体検知信号送受信回路３１が作動する。これにより、アンテナαから人体検知用発信信号Ａ（第１２図）が間欠的に送信される。また、該信号Ａが人体を反射してなる人体検知反射信号Ｂ（第１２図）を、該人体検知信号送受信回路３１が受信可能とされる。但し、現時点では人体が入室していないため、人体検知反射信号Ｂは受信されない。
【００５８】
また、このスリープモードにおいては、リモコン４０の送信部５０からの着座検知用発信信号Ｄ（第１２図）の発信が停止されている。これにより、消費電力の節約が図られる。
【００５９】
＜トイレルーム内に人体が入室した場合＞
トイレルーム内に人体が入室すると、以下に説明する通り、便座ボックス２２が人体検知モードａとリモコン通信モードｂとを繰り返す第２モードになると共に、リモコン４０がウェイクアップモードとなる。これにより、便座ボックス２２内の受信部３０は、人体検知モードａの期間において入室した人体を検知すると共に、リモコン通信モードｂの期間において入室した人体の着座の有無を判定する。
【００６０】
すなわち、トイレルーム内に人体が入室すると、上記人体検知用発信信号Ａが人体に反射してなる人体検知反射信号Ｂが、人体検知信号送受信回路３１によって受信され、人体の入室が検知される。人体の入室が検知されると、先ず便座ボックス２２内の該切替回路３３が電波通信送受信回路３２を作動させ、アンテナαからリモコン４０に向けて着座検知開始信号Ｃ１（第１２図）を送信させる。次いで、第９図に示す通り、該切替回路３３が人体検知信号送受信回路３１と電波通信送受信回路３２とを交互に作動させることにより、人体検知モードａ（人体検知信号送受信回路３１が作動するモード）と以下に説明するリモコン通信モードｂ（電波通信送受信回路３２が作動するモード）とを繰り返す第２モードに移行する。
【００６１】
この着座検知開始信号Ｃ１をリモコン４０の送受信回路５１がアンテナβを介して受信すると、リモコン４０がウェイクアップモードとなり、第１２図に示す通り、送信部５０が着座検知用発信信号Ｄを間欠的に送信する。
【００６２】
このリモコン４０からの着座検知用発信信号Ｄは、便座ボックス２２内の受信部３０が上記リモコン通信モードｂになっている期間にアンテナαによって受信されると、電波通信送受信回路３２が着座検知用受信信号Ｅとして受信する。現時点では、人体が便座２３に着座していないため、この着座検知用発信信号Ｄが着座者によって遮断されることはなく、この着座検知用受信信号Ｅ（Ｅ１）は高強度となる（第１２図）。
【００６３】
一方、受信部３０が人体検知モードａになっている期間には、上記の通り、便座ボックス２２内の人体検知信号送受信回路３１が、人体検知用発信信号Ａを送信すると共に人体検知反射信号Ｂを受信する。第１２図に示す通り、入室した人体が洋風便器２１に近づくに従い、この人体検知反射信号Ｂ（Ｂ１〜Ｂ３）の強度は高くなる。
【００６４】
このように、人体検知モードａのときには入室した人体を検知することができ、リモコン通信モードｂのときには人体の着座の有無を判定することができる。なお、人体検知モードａの１回の継続期間は０．０１〜０．５ｍＳ特に０．０１〜０．１ｍＳであるのが好ましく、リモコン通信モードｂの１回の継続期間は８〜９ｍＳ特に８．９〜９ｍＳであるのが好ましい。人体検知モードａの１回の継続期間は、リモコン通信モードｂの１回の継続期間の０．１〜５％特に０．１〜１％であるのが好ましい。
【００６５】
＜人体が着座した場合＞
このように便座ボックス２２が第２モードかつリモコン４０がウェイクアップモードとなっている状態において、人体が着座すると、受信部３０が着座を判定する。
【００６６】
すなわち、人体が便座２３に着座すると、人体検知モードａの期間において、便座ボックス２２内の人体検知信号送受信回路３１が人体検知反射信号Ｂ４（第１２図）を検知する。この着座時には、非着座時よりも人体が受信部３０に近づいているため、着座時の人体検知反射信号Ｂ４の強度は非着座時の人体検知反射信号Ｂ１〜Ｂ３の強度よりも大きい。
【００６７】
また、リモコン通信モードｂの期間において、便座ボックス２２内の電波通信送受信回路３２が、着座検知用受信信号Ｅ２を受信する。ここで、着座した人体が、リモコン４０からの上記着座検知用発信信号Ｄの一部を遮断するため、着座時における着座検知用受信信号Ｅ２の強度は、着座前の着座検知用受信信号Ｅ１の強度と比べて著しく小さくなる。
【００６８】
この着座時における着座検知用受信信号Ｅの強度の変化（信号Ｅ１の強度−信号Ｅ２の強度）と、上記人体検知反射信号Ｂ４の強度とに基づいて、人体の便座２３への着座が判定される。
【００６９】
この着座が判定されると、便座ボックス２２の制御信号出力回路３５がシャワー駆動回路３６及びビデ駆動回路３７を作動可能とする。これにより、リモコン４０のスイッチ４１，４２が操作されるとシャワー洗浄及びビデ洗浄が行われ、スイッチ４３が操作されるとこれら洗浄が停止される。このように、着座時にのみシャワー洗浄及びビデ洗浄を行うことが可能であるため、誤って離座時にこれらスイッチ４１，４２を操作したときに、シャワーノズル及びビデノズル（図示略）から便器２１の外側に水が噴射されることが防止される。
【００７０】
なお、リモコン４０のスイッチ４１〜４３が操作されると、第９図の該人体検知モードａの期間よりも長時間にわたり、スイッチ操作信号が送信される。これにより、該人体検知モードａの期間中にスイッチ４１〜４３が操作されたときであっても、その次のリモコン通信モードｂにおいて確実にスイッチ操作信号を電波通信送受信回路３２が受信することができ、シャワー洗浄及びビデ洗浄を確実に行うことが可能である。但し、該人体検知モードａの期間中にスイッチ４１〜４３が操作されたときには、その次のリモコン通信モードｂに移行するまで待機してからスイッチ４１〜４３の操作信号を発信するようにしてもよい。このようにしても、確実にスイッチ操作信号を電波通信送受信回路３２が受信することができる。
【００７１】
＜人体が離座し、トイレルームからの退室を開始した場合＞
人体が離座して便器２１から離れるに従い、人体検知モードａで検知される人体検知反射信号Ｂ５〜Ｂ７（第１２図）が小さくなる。また、リモコン通信モードｂで検知される着座検知用受信信号Ｅ１の強度が着座時の着座検知用受信信号Ｅ２よりも大きくなる。
【００７２】
この離座時における着座検知用受信信号Ｅの強度の変化（信号Ｅ２の強度−信号Ｅ１の強度）と、該人体検知反射信号Ｂ７の強度とに基づいて、人体の便座２３への離座が判定される。この離座が判定されると、便座ボックス２２の制御信号出力回路３５は、シャワー駆動回路３６及びビデ駆動回路３７を作動不能となる。
【００７３】
＜人体がトイレルームからの退室を完了した場合＞
人体がトイレルームから退室すると、人体検知モードａにおいて、人体検知反射信号Ｂが検知されなくなる。これにより、人体が退室したと判定され、便座ボックス２２のアンテナαから着座検知停止信号Ｃ２を送信した後、便座ボックス２２が第１モードに復帰する。
【００７４】
また、この着座検知停止信号Ｃ２をリモコン４０のアンテナβが受信することにより、リモコン４０がスリープモードに戻り、着座検知用発信信号Ｄの送信が停止される。
【００７５】
なお、上記人体検知用発信信号Ａ、人体検知反射信号Ｂ、着座検知開始信号Ｃ１，着座検知停止信号Ｃ２、着座検知用発信信号Ｄ、着座検知用受信信号Ｅ及びリモコン４０の各スイッチ４１〜４３のスイッチ操作信号は、それぞれ、周波数、波形、振幅等を異ならせて区別可能とされている。
【００７６】
本実施の形態によると、人体の着座を高精度にて判定することができる。すなわち、仮に人体検知反射信号Ｂ１〜Ｂ７の強度に基づいて着座を判定する場合、当該信号Ｂの強度は人体が便器２１に近づくに従って徐々に変化するため、着座を高精度に判定することが困難である。これに対して本実施の形態では、アンテナα及びアンテナβが、着座者の上半身を挟む位置に設けられているため、着座時に着座検知用受信信号Ｅが急激に減少し、着座を高精度に判定することができる。さらに本実施の形態では、この着座検知用受信信号Ｅに加えて上記人体検知反射信号Ｂをも考慮して着座を判定しているため、着座をより高精度に判定することができる。但し、この着座検知用受信信号Ｅのみに基づいて着座を判定してもよい。
【００７７】
上記実施の形態では、切替回路３３を設置することにより、人体検知信号送受信回路３１と電波通信送受信回路３２とでアンテナαを兼用するようにしているが、切替回路３３を省略し、これら回路３１，３２のそれぞれに専用のアンテナα１，α２を設けてもよい。この場合、人体の検知を継続している期間において、上記第２モード（第９図）のように人体検知モードａとリモコン通信モードｂとが重複しないようにこれらのモードを交互に行ってもよいが、重複させてもよく、例えば人体検知モードａ及びリモコン通信モードｂの少なくとも一方を常時継続してもよい。また、人体検知信号送受信回路３１専用のアンテナα１は、リモコン４０に向けて電波を送信する必要がないため、便器前方（第１３図の主ビームの方向）のみに電波を送信する、指向性の高いアンテナを用いることができる。なお、人体検知信号送受信回路３１及び電波通信送受信回路３２の発信回路が兼用となっていてもよく、これにより、コストの低減及び受信部３０のコンパクト化が図られる。
【００７８】
本実施の形態では、トイレルーム内に人体が入室していないときに、人体検知用発信信号Ａを間欠的に送信しているが、連続的に送信してもよい。但し、間欠的に送信する方が、リモコン４０の消費電力を節約することができる点で好ましい。
【００７９】
本実施の形態では、トイレルーム内の人体の入室がない場合には、リモコン４０からの着座検知用発信信号Ｄの送信を停止しているため、リモコン４０の電力消費量が節約される。但し、公衆トイレなどのように使用頻度が高い場合などにあっては、入室がない場合でも着座検知用発信信号Ｄの送信を継続してもよい。
【００８０】
本実施の形態では、着座検知用送信信号Ｄをリモコン４０が送信し、着座検知用受信信号Ｅを便座ボックス２２が受信しているが、反対に、着座検知用送信信号Ｄを便座ボックス２２が送信し、着座検知用受信信号Ｅをリモコン４０が受信するようにしてもよい。
【００８１】
［その他の実施の形態］
本発明は上記実施の形態に限定されるものではない。例えば、第２の実施の形態における送信部５０をリモコン４０とは別体とし、この送信部５０をリモコン４０から離隔した場所に設置してもよい。これにより、リモコン４０の設置位置に拘束されることなく、人体の着座をより精度よく検知し得る箇所に、この送信部５０を設置することができる。この送信部５０の設置箇所としては、トイレルームの壁面でもよく、天井面でもよく、トイレルームのドアでもよい。また、第２の実施の形態の受信部３０を便座ボックス２２とは別体としてもよい。また、送信部５０及び受信部３０を便座ボックス２２及びリモコン４０とは別体とし、これらをトイレルームの壁面、天井面、ドア等に設けてもよい。
【符号の説明】
【００８２】
１，１８  洋風便器
２  タンクカバー
３，１３，１６  便座
５  便座ヒータ
６  発信器
１２，１５，２２  便座ボックス
受信部３０
３１  人体検知信号送受信回路
３２  電波通信送受信回路
３３  切替回路
４０  リモコン
５０  送信部
５１  送受信回路
【図１】
2012037331.tif 000003
【図２】
2012037331.tif 000004
【図３】
2012037331.tif 000005
【図４】
2012037331.tif 000006
【図５】
2012037331.tif 000007
【図６】
2012037331.tif 000008
【図７】
2012037331.tif 000009
【図８】
2012037331.tif 000010
【図９】
2012037331.tif 000011
【図１０】
2012037331.tif 000012
【図１１】
2012037331.tif 000013
【図１２】
2012037331.tif 000014
【図１３】
2012037331.tif 000015